(57)【特許請求の範囲】
【請求項１】
電子装置に適用し、使用者が前記電子装置を通して複数の照明装置のうち任意の選択された複数の照明装置を制御する照明装置の制御方法であって、
制御コマンドに基づいて前記複数の照明装置のうちの少なくとも１つの照明装置の制御パラメータの設定を受け付ける工程と、
グループ設定コマンドに基づいて前記制御パラメータが設定された照明装置を含む前記任意の選択された複数の照明装置が同一制御グループに設定された場合に、前記同一制御グループに含まれる照明装置のうち最後に前記制御パラメータが設定された照明装置を特定する工程と、
前記特定された照明装置と同一制御グループに属するその他の照明装置の前記制御パラメータを、前記特定された照明装置の制御パラメータと同一に設定する工程と、
を含むことを特徴とする、照明装置の制御方法。
【請求項２】
前記方法がさらに、前記電子装置のモニターに少なくとも１つの操作画面を表示し、前記使用者が前記少なくとも１つの操作画面をクリック（またはタップ）して前記制御コマンドまたは前記グループ設定コマンドを入力する工程を含むことを特徴とする、請求項１に記載の照明装置の制御方法。
【請求項３】
前記少なくとも１つの操作画面が、前記複数の照明装置に対応する照明装置アイコンを含み、前記使用者が前記照明装置アイコンのうち一つをクリック（またはタップ）することで、対応する照明装置の前記制御コマンドの入力を行い、
前記制御コマンドが入力された場合、当該制御コマンドが入力された照明装置に対応する前記照明装置アイコンを、設定された前記制御パラメータに対応する発光色で発光させる工程を含む、
請求項２に記載の照明装置の制御方法。
【請求項４】
前記少なくとも１つの操作画面が、前記複数の照明装置の所在環境の写真またはアイコンを含み、前記使用者が前記写真またはアイコン中に表示された前記照明装置に対応する照明装置アイコンをクリックすることで、前記制御コマンドまたは前記グループ設定コマンドの入力を行うことを特徴とする、請求項２に記載の照明装置の制御方法。
【請求項５】
前記制御コマンドに基づいて、前記複数の照明装置のうちの少なくとも１つの照明装置に対する、複数のプリセットモードのうちの１つのプリセットモードの設定を受け付けた場合、当該少なくとも１つの照明装置の制御パラメータを、設定されたプリセットモードに対応する制御パラメータに設定する工程と、
グループ設定コマンドに基づいて前記プリセットモードが設定された照明装置を含む前記任意の選択された複数の照明装置が同一制御グループに設定された場合に、前記同一制御グループに含まれる照明装置のうち最後に前記プリセットモードが設定された照明装置を特定する工程と、
前記特定された照明装置と同一制御グループに属するその他の照明装置の前記制御パラメータを、前記特定された照明装置の制御パラメータと同一に設定する工程と、
を含むことを特徴とする、請求項１に記載の照明装置の制御方法。
【請求項６】
前記制御パラメータが、前記複数の照明装置の発光色、発光輝度、照明装置オン時間、照明装置オフ時間または発光時間の決定に用いられることを特徴とする、請求項１乃至５のいずれか一項に記載の照明装置の制御方法。
【請求項７】
前記制御コマンドが、前記電子装置の空間位置を変える、または前記電子装置を裏返す方式を通して入力できることを特徴とする、請求項１乃至５のいずれか一項に記載の照明装置の制御方法。
【請求項８】
請求項１乃至６のいずれか一項に記載の照明装置の制御方法をコンピュータに実行させるためのコンピュータプログラム。
【発明の詳細な説明】
【技術分野】
【０００１】
本発明は照明装置の制御方法及びそのコンピュータプログラムに関し、特に、グループ設定を行い、同時に複数の照明装置の発光を制御する方法及びコンピュータプログラムに関する。
【背景技術】
【０００２】
モバイル式電子装置(携帯電話やタブレットコンピュータ等)は現代人の生活と仕事の上で不可欠な標準装備の１つとなっており、特にスマートフォンは現在ほとんどの人が１台を保有している状況とも言える。スマートフォンは従来の携帯電話のように通話機能を具備しているのみならず、強力な演算と処理機能を兼ね備えた小型モバイル式コンピュータとなっており、その小型軽量さですでに徐々にノートブックコンピュータに取って代わりつつある。
【０００３】
現在照明装置の発光制御はほとんどがハードウェア装置によって行われており、照明装置の発光をリモート制御するリモートコントローラがあっても、リモートコントローラの体積及びコストの要因に制限されるため、制御可能な機能は多くない。スマートフォンの普及が進むにつれ、照明装置の発光の操作制御を携帯電話に移すことができれば、リモートコントローラの製造コストを節約できるだけでなく、ソフトウェアアプリケーションプログラムの運用を組み合わせ、より多くの照明装置の発光機能制御を提供することができる。
【発明の概要】
【発明が解決しようとする課題】
【０００４】
本発明の主な目的は、照明装置グループの設定を行い、同時に複数の照明装置の発光を制御することができる、照明装置の制御方法及びコンピュータプログラムを提供することにある。
【課題を解決するための手段】
【０００５】
上述の目的を達するため、本発明の照明装置の制御方法は電子装置に適用され、使用者が前記電子装置を通して複数の照明装置を制御することができるものである。本発明の照明装置の制御方法は、各ＩＤコードが各照明装置をそれぞれ代表する、複数の異なるＩＤコードを受信する工程と、グループ設定コマンドに基づいて複数のＩＤコードのうち少なくとも２つのＩＤコードを同一制御グループに設定する工程と、同一制御グループ内の各ＩＤコードが代表する各照明装置の制御パラメータ設定が同じである工程と、を含む。
【発明の効果】
【０００６】
本発明のコンピュータプログラムは、コンピュータによって実行されるものであり、コンピュータがコンピュータプログラムを実行することにより、コンピュータが前述の照明装置の制御方法を完了することができる。
【図面の簡単な説明】
【０００７】
【図１】本発明のコンピュータプログラム製品の使用時の環境を示す概略図である。
【図２】本発明の照明装置の制御方法の工程を示すフローチャートである。
【図３】照明装置が発光していないときの第１操作画面を示す概略図である。
【図４】第２操作画面を示す概略図である。
【図５】照明装置が発光しているときの第１操作画面を示す概略図である。
【図６】第１操作画面を通して照明装置グループ設定を行うときの操作を示す概略図である。
【図７】照明装置グループ設定を完了した後の第１操作画面を示す概略図である。
【図８】第１操作画面の別の実施例を示す概略図である。
【図９】照明装置グループのデータベースを示す概略図である。
【図１０】照明装置制御パラメータのデータベースを示す概略図である。
【発明を実施するための形態】
【０００８】
本発明の上述及びその他の目的、特徴、利点をより明らかにするため、以下、図面を組み合わせて本発明の具体的な実施例を挙げ、詳細に説明する。
【０００９】
図１の本発明のコンピュータプログラム製品（例えば、コンピュータプログラムを記録した記録媒体）の使用時の環境を示す概略図を参照する。
【００１０】
本発明の一実施例において、本発明の照明装置の制御方法は電子装置１０に適用される。図１に示すように、電子装置１０はモニター１１、プロセッサ１２、無線通信モジュール１３、メモリ１４を含む。メモリ１４に本発明のコンピュータプログラムを記録したコンピュータプログラム製品１４１が格納される。電子装置１０のプロセッサ１２がコンピュータプログラム製品１４１を読み込み、実行した後、電子装置１０は本発明の照明装置の制御方法を実行し、使用者は電子装置１０の操作を通して複数の照明装置８０ａ、８０ｂ、８０ｃ、８０ｄの発光を制御することができる。各照明装置８０ａ、８０ｂ、８０ｃ、８０ｄは電子装置１０と同じ無線通信モジュール(図示しない)を備えている。各照明装置８０ａ、８０ｂ、８０ｃ、８０ｄはいずれもＩＤコードを有し、かつ各ＩＤコードは異なり、それぞれ各照明装置８０ａ、８０ｂ、８０ｃ、８０ｄを代表する。本発明の具体的な実施例において、電子装置１０はスマートフォンであり、電子装置１０及び各照明装置８０ａ、８０ｂ、８０ｃ、８０ｄの無線通信モジュール１３はブルートゥース通信装置であるが、本発明はこれに限定されない。
【００１１】
続いて図１から図８を併せて参照する。そのうち図２は本発明の照明装置の制御方法の工程を示すフローチャートであり、以下、図１と図３から図８を組み合わせ、図２に示す各工程を順に説明する。但し、以下は前述の電子装置１０を例として本発明の開示する照明装置の制御方法を説明しているが、本方法は前述の電子装置１０の使用に限定されないことに注意が必要である。
【００１２】
図２に示すように、まず各ＩＤコードが各照明装置をそれぞれ代表する、複数の異なるＩＤコードを受信する工程Ｓ１を実行する。
【００１３】
図１に示すように、本発明の一実施例において、電子装置１０に本発明のコンピュータプログラム製品が搭載されているとき、電子装置１０のモニター１１にプログラムアイコン(図示しない)が表示され、使用者はこのプログラムアイコンをクリック(またはタップ)するだけで、プロセッサ１２を制御して前記コンピュータプログラム製品１４１を読み込ませ、実行させることができ、使用者は続いて電子装置１０の操作を通して照明装置８０ａ、８０ｂ、８０ｃ、８０ｄの発光を制御することができる。プロセッサ１２がコンピュータプログラム製品１４１を実行した後、プロセッサ１２は、まず無線通信モジュール１３を制御して一定範囲内の各照明装置８０ａ、８０ｂ、８０ｃ、８０ｄから伝送されるＩＤコードを受信し、ＩＤコードをメモリ１４中に一時的に保存する。ブルートゥース通信装置を利用して信号伝送を行うことは周知の従来技術であるため、ここでは説明を省略する。
【００１４】
続いて、電子装置のモニターに操作画面を表示する工程Ｓ２を行う。
【００１５】
図３に示すように、本発明の一実施例において、電子装置１０がＩＤコードを受信した後、電子装置１０が電子装置１０のモニター１１に図３に示すような第１操作画面２０を表示し、使用者はクリック(またはタップ)して選択を行うことができる。第１操作画面２０には複数の各ＩＤコードに対応する照明装置アイコン２１ａ、２１ｂ、２１ｃ、２１ｄ及びグループボタン２２が含まれる。各照明装置アイコン２１ａ、２１ｂ、２１ｃ、２１ｄは、各照明装置８０ａ、８０ｂ、８０ｃ、８０ｄをそれぞれ代表している。使用者がそのうち１つの照明装置アイコンをクリックすると、電子装置１０のモニター１１に図４に示すような第２操作画面３０が表示される。第２操作画面３０にはオンボタン３１ａ、オフボタン３１ｂ、色設定部３２、輝度設定部３３、日付設定ボタン３４ａ、時間設定ボタン３４ｂ、複数のモード設定ボタン３５ａ、３５ｂ、３５ｃ、３５ｄが含まれ、そのうち色設定部３２には異なる色の色選択部３２ａ、３２ｂ、３２ｃ、３２ｄが含まれる（図４は４つの符号を代表として示しており、例えば３２ａは青色、３２ｂは黄色をそれぞれ代表する）。オンボタン３１ａは使用者が照明装置８０ａ、８０ｂ、８０ｃ、８０ｄを制御してオンにするコマンドを入力するために用いられる。オフボタン３１ｂは、使用者が照明装置８０ａ、８０ｂ、８０ｃ、８０ｄを制御してオフにするコマンドを入力するために用いられる。色設定部３２は使用者が照明装置８０ａ、８０ｂ、８０ｃ、８０ｄの発光色を制御するコマンドを入力するために用いられる。日付設定ボタン３４ａ及び時間設定ボタン３４ｂは、使用者が照明装置８０ａ、８０ｂ、８０ｃ、８０ｄの発光時間を制御するコマンドを入力するために用いられる。輝度設定部３３は、使用者が照明装置８０ａ、８０ｂ、８０ｃ、８０ｄの発光輝度を制御するコマンドを入力するために用いられる。複数のモード設定ボタン３５ａ、３５ｂ、３５ｃ、３５ｄは、使用者が照明装置８０ａ、８０ｂ、８０ｃ、８０ｄを制御してあらかじめ設定された時間内にあらかじめ設定された色と輝度で発光させるコマンドを入力するために用いられる。
【００１６】
このほか、図８に示すように、本発明の別の実施例において、第１操作画面２０は複数の照明装置の所在環境の写真またはアイコン２４を表示してもよく、使用者は前記写真またはアイコン２４中の各照明装置をクリックして、コマンドの制御またはグループ設定コマンドの入力を行うことができる。この写真またはアイコン２４は使用者が電子装置１０を通して事前に複数の照明装置８０ａ、８０ｂ、８０ｃ、８０ｄの所在環境を撮影して取得することができる。写真またはアイコン２４の撮影後、コンピュータプログラム製品１４１を通して前記写真またはアイコン２４に対して分析を行い、各照明装置８０ａ、８０ｂ、８０ｃ、８０ｄの位置を前記写真またはアイコン２４中に表示して、電子装置１０のモニター１１に表示する(図８は照明装置の相対位置のみ表示しており、照明装置の所在環境の背景は表示していない)。その後、使用者は、前記写真またはアイコン２４を通して制御コマンドまたはグループ設定コマンドの入力を行うことができる。使用者が、写真またはアイコン２４中のいずれか１つのランプをクリックすると、電子装置１０のモニター１１に前述の図４に示すような第２操作画面３０が表示される。使用者は、各照明装置８０ａ、８０ｂ、８０ｃ、８０ｄの位置をクリックして設定または変更を行うこともできる。
【００１７】
続いて、制御コマンドに基づいて、複数の照明装置のうちいずれか１つの照明装置の制御パラメータを設定する工程Ｓ３を行う。
【００１８】
電子装置１０のモニター１１に上述の操作画面(第１操作画面２０及び第２操作画面３０を含む)が表示された後、使用者は操作画面のクリック及び操作を通して制御コマンドを入力することができる。本発明の具体的な実施例において、制御コマンドの入力方法は次のとおりである。
１．第１操作画面２０中で複数の照明装置アイコン２１ａ、２１ｂ、２１ｃ、２１ｄのうちの１つの照明装置アイコンをクリックする。クリックすると、電子装置１０のモニター１１に第２操作画面３０が表示される。
２．第２操作画面３０で各制御パラメータを設定する制御コマンドを入力する。入力完了後、電子装置１０は、制御コマンドで設定された制御パラメータに基づき、照明装置８０ａ、８０ｂ、８０ｃ、８０ｄの制御パラメータを設定する。
例えば、使用者が照明装置８０ｂに毎晩５時から１１時の間自動的に青色光を発生させたいと仮定した場合、このとき使用者は、第１操作画面２０中で番号２の照明装置アイコン２１ｂ(番号２の照明装置アイコン２１ｂは照明装置８０ｂを代表するため)をクリックした後、第２操作画面３０において、オンボタン３１ａをクリックし、かつ色設定部３２で青色の色選択部３２ａをクリックして、さらに日付設定ボタン３４ａと時間設定ボタン３４ｂで発光させる日付と時間を毎晩５時から１１時に設定すると、電子装置１０はこれらの設定に基づいて制御パラメータの制御コマンドで照明装置８０ｂの制御パラメータを設定し、前記照明装置８０ｂをそれ以降使用者が設定した制御パラメータのとおりに発光させることができる。図５に示すように、照明装置８０ｂの制御パラメータの設定を完了した後、照明装置８０ｂが発光すると、照明装置８０ｂを代表する照明装置アイコン２１ｂも発光の画像で対応する照明装置８０ｂが発光中であることを表示し、かつ照明装置アイコン２１ｂの背景色が照明装置８０ｂの発光色と同じになる。
【００１９】
このほか、本発明の別の一実施例において、前述の制御コマンドは電子装置１０の空間位置を変化させる、または電子装置１０を裏返す方式で入力するようにしてもよく、それにより使用者がより迅速な操作方法で各照明装置８０ａ、８０ｂ、８０ｃ、８０ｄの制御パラメータを変えることができる。例えば、電子装置１０を裏返す方式で照明装置８０ａ、８０ｂ、８０ｃ、８０ｄのオンまたはオフを制御したり、使用者が電子装置１０を手に持って円を描き、照明装置８０ａ、８０ｂ、８０ｃ、８０ｄの発光色を調整したり、或いは使用者が電子装置１０を手に持って垂直または水平移動させ、照明装置８０ａ、８０ｂ、８０ｃ、８０ｄの発光輝度を調整したり等が可能であるが、本発明はこれらに限らない。
【００２０】
また、制御パラメータを自ら設定できるほか、本発明は制御設定において複数のプリセットモードを提供でき、各プリセットモードには異なる制御パラメータが設定される。例えば、プリセットモードはニキビ治療用のモードがあってもよく、使用者が電子装置１０で第２操作画面３０の複数のモード設定ボタン３５ａ、３５ｂ、３５ｃ、３５ｄの中からこのプリセットモードを選択した場合、電子装置１０は照明装置８０ａ、８０ｂ、８０ｃ、８０ｄの制御パラメータをあらかじめ設定された制御パラメータに設定する。このあらかじめ設定された制御パラメータは、照明装置８０ａ、８０ｂ、８０ｃ、８０ｄにニキビの治療に用いることができる赤色光と青色光を発生させる制御パラメータである。
【００２１】
グループ設定コマンドに基づき、複数のＩＤコードのうち少なくとも２つのＩＤコードを同一制御グループに設定する工程Ｓ４を行う。
【００２２】
図５に示すように、本発明の一実施例において、複数の照明装置８０ａ、８０ｂ、８０ｃ、８０ｄのうちの１つの照明装置８０ｂの制御パラメータを設定して発光させた後、モニター１１上には図５に示すような画面が表示される。その後、使用者は第１操作画面２０でグループ設定コマンドを入力することができる。操作時はまず、使用者が上方のグループボタン２２をクリックする必要があり、グループボタン２２をクリックすると、電子装置１０がグルーピングモードに入り、続いて使用者は１グループにしたい照明装置８０ａ、８０ｂ、８０ｃ、８０ｄを選択することができる。例えば番号２の照明装置アイコン２１ｂと番号３の照明装置アイコン２１ｃを選択すると、図６に示すような画面が表示される。最後に使用者が確認ボタン２３をクリックすると、番号２の照明装置アイコン２１ｂと番号３の照明装置アイコン２１ｃに対応する２つのＩＤコードが同一制御グループに設定され、即ち、これら２つのＩＤコードが代表する各照明装置８０ｂ、８０ｃが同一制御グループに設定されたことを表す。
【００２３】
最後に、同一制御グループ内のＩＤコードが代表する各照明装置の制御パラメータを同じに設定する工程Ｓ５を行う。
【００２４】
本発明の一実施例において、工程Ｓ４を完了した後、電子装置１０は同一制御グループ内のＩＤコードが代表する各照明装置８０ｂ、８０ｃの制御パラメータを同じに設定し、かつ制御パラメータはグループ設定動作を行う前に、最後に設定された照明装置８０ｂの制御パラメータと同じに設定される。本実施例を例とすると、グループ設定動作を行う前に最後に設定された照明装置は番号２が代表する照明装置８０ｂであるため、番号２が代表する照明装置８０ｂと番号３が代表する照明装置８０ｃが同一グループに設定されると、番号３の代表する照明装置８０ｃの制御パラメータが番号２の代表する照明装置８０ｂの制御パラメータと同じに設定される。ここで、複数のランプを同一グループに設定すること及び同一グループの照明装置の制御パラメータを同じに設定することには、簡易なデータベースのみを必要とすることに注意が必要である。図９に照明装置のグループデータ１４１ａを示すが、図９に示すように、前述のグループ動作設定の完了後、コンピュータプログラム製品１４１は例えばグループ１を構築し、かつ番号２が代表するＩＤコードと番号３が代表するＩＤコードがグループ１に記録される。図１０に照明装置制御パラメータのデータベース１４１ｂを示すが、図１０に示すように、各照明装置（ＩＤコード）に対応する制御パラメータが記録され、使用者がそのうち１つのＩＤコードの代表する照明装置の制御パラメータを設定すると、同一グループ内のＩＤコードが代表する照明装置の制御パラメータも同時に変更される。
【００２５】
本発明で開示する照明装置の制御方法は以上で述べた工程の順序に限定されず、本発明の目的を達成することができれば、上述の工程の順序は変えることができることに注意が必要である。例えば、先にグループ設定動作を行ってから、同一グループ内のある照明装置の制御パラメータを設定してもよく、設定完了後、同一グループ内のその他照明装置の制御パラメータが同時に前記照明装置の制御パラメータと同じに設定される。
【００２６】
以上の説明から分かるように、本発明の照明装置の制御方法は使用者が例えば携帯電話やタブレットコンピュータ等のモバイル式電子装置の操作を通して照明装置の発光を制御でき、かつグループ設定機能の提供により、使用者が照明装置のグループ設定を通して、同時に複数の照明装置の発光をリモートで制御することができる。このほか、内蔵プリセットモードの選択設定により、使用者が迅速かつ正確に照明装置に特定の効果を備えた照明(例えばニキビの治療や根茎類植物の成長促進など)を発生させることが可能であり、照明装置の制御の利便性を高めることができる。
【００２７】
上述をまとめると、本発明は目的、手段及び効果のいずれも従来技術とは異なる特徴を有しており、審査においては明察の上、一日も早く社会に貢献できるように特許を許可していただくことを希望するものである。上述のいくつかの実施例は単に説明のために例を挙げたまでであり、本発明の主張する権利範囲は特許請求の範囲に準じ、上述の実施例に限定されないことに注意が必要である。
【符号の説明】
【００２８】
１０      電子装置
１１      モニター
１２      プロセッサ
１３      無線通信モジュール
１４      メモリ
１４１    コンピュータプログラム製品
１４１ａ  照明装置グループデータベース
１４１ｂ  照明装置制御パラメータデータベース
２０      第１操作画面
２１ａ、２１ｂ、２１ｃ、２１ｄ  照明装置アイコン
２２      グループボタン
２３      確認ボタン
２４      写真またはアイコン
３０      第２操作画面
３１ａ    オンボタン
３１ｂ    オフボタン
３２      色設定部
３２ａ、３２ｂ、３２ｃ、３２ｄ  色選択部
３３      輝度設定部
３４ａ    日付設定ボタン
３４ｂ    時間設定ボタン
３５ａ、３５ｂ、３５ｃ、３５ｄ  モード設定ボタン
８０ａ、８０ｂ、８０ｃ、８０ｄ  照明装置
Ｓ１、Ｓ２、Ｓ３、Ｓ４、Ｓ５  工程
【図１】
0005646685.tif 000002
【図２】
0005646685.tif 000003
【図３】
0005646685.tif 000004
【図４】
0005646685.tif 000005
【図５】
0005646685.tif 000006
【図６】
0005646685.tif 000007
【図７】
0005646685.tif 000008
【図８】
0005646685.tif 000009
【図９】
0005646685.tif 000010
【図１０】
0005646685.tif 000011